(57)【特許請求の範囲】
【請求項１】
基板と、前記基板の一方の面に実装されるＬＥＤと、前記ＬＥＤの光放出側に配置されるレンズと、前記基板、前記ＬＥＤ、及び前記レンズを収容するとともに前記レンズを露出する開口部を有するカバーと、を備えて構成されるＬＥＤユニットにおいて、
電線を圧接するための圧接端子を前記基板の一端に固定するとともに、前記圧接端子を前記カバーに固定し、且つ、
前記レンズ及び前記ＬＥＤを一体に固定するとともに、前記レンズ及び前記カバーの開口部を形成する縁部の間にクリアランスを設けた
ことを特徴とするＬＥＤユニット。
【請求項２】
請求項１に記載のＬＥＤユニットにおいて、
前記レンズの内側に、前記ＬＥＤを挟持して前記レンズ及び前記ＬＥＤの中心合わせをする複数のリブを設け、且つ、
前記カバーの内側に、前記基板の他方の面を係止して前記レンズ及び前記ＬＥＤの移動を抑える係止片を設けるとともに、前記基板の一方の面に配置された前記レンズが前記カバーに当接する
ことを特徴とするＬＥＤユニット。
【請求項３】
請求項１〜２何れか一項に記載のＬＥＤユニットにおいて、
前記圧接端子を前記基板の長手方向の一端に固定し、
前記ＬＥＤ及び前記レンズを前記基板の長手方向の他端に固定する
ことを特徴とするＬＥＤユニット。
【発明の詳細な説明】
【技術分野】
【０００１】
本発明は、例えば自動車の乗員室内の天井に配置されてマップランプとして利用される、ＬＥＤユニットに関する。
【背景技術】
【０００２】
従来のＬＥＤユニット４９は、図１１に示すように、ケース５０、レンズ５１、基板５２、熱伝導シート５３、及び放熱板５４を備える。放熱板５４はアルミ製であって、ベース部５５と、ベース部５５に垂直な複数の平板状のフィンから成る。熱伝導シート５３は金属フィラーを含有するシリコーンゲルである。基板５２はアルミ製の放熱性基板であって、その上にはＬＥＤ５６、定電流回路（図示せず）、コネクタ５７などが実装される。コネクタ５７には給電用の端子（図示せず）が接続される。基板５２上には回路（図示せず）が形成されており、コネクタ５７を介して供給された電力がＬＥＤ５６へ供給される。また基板５２の両側部には基板５２の一部を欠いて形成された係合部位５８が形成される。ＬＥＤ５６は白色発光する表面実装型ＬＥＤランプである。レンズ５１は凸レンズであって、その縁部に２個の位置決め部５９を備える。ケース５０は放熱性のＰＢＴ樹脂製であって、レンズ用を露出する開口部６０を備える。なお、ケース５０の下面側は開口しており、その平面視形状は、放熱板５４のベース部５５の平面視形状よりもわずかに大きい形状である。
【０００３】
放熱板５４の上に、熱伝導シート５３と、ＬＥＤ５６が実装された基板５２と、レンズ５１とを順に重ね、最後に、ケース５０及び放熱板５４が、基板５２及びレンズ５１を挟持するようにケース５０を被せることによって、従来のＬＥＤユニット４９が組み立てられる。このとき、レンズ５１の位置決め部５９が基板５２の係合部位５８へ係合してＬＥＤ５６の直上にレンズ５１が配置されるように、レンズ５１が基板５２に対して位置決めされている。さらに、レンズ５１は、開口部６０を形成する縁部との間にクリアランスを有することなく露出している。
【先行技術文献】
【特許文献】
【０００４】
【特許文献１】特開２００７−３５７８８号公報
【発明の概要】
【発明が解決しようとする課題】
【０００５】
ところで、上記従来技術にあっては、レンズ５１の位置決め部５９を基板５２の係合部位５８に係合している。すなわち、レンズ５１の位置決めが、ＬＥＤ５６がマウントされた基板５２を基準にして行われる。さらに、このとき、レンズ５１及び開口部６０を形成する縁部の間にはクリアランスが形成されていない。
【０００６】
したがって、基板５２の伸縮、或いはＬＥＤ５６の実装ズレなどを吸収することができず、基板５２にストレスが生じてしまうという問題点を有している。さらに、基板５２の伸縮、或いはＬＥＤ５６の実装ズレなどが生じると、レンズ５１及びＬＥＤ５６の中心にズレが生じてしまうという問題点を有している。
【０００７】
このように、基板５２に生じたストレスを吸収できない場合、基板５２が破損してしまう恐れがある。また、レンズ５１及びＬＥＤ５６の中心にズレが生じると、ＬＥＤ５６の光を集光できずに光量が落ちてしまい、更にＬＥＤ５６のターゲットエリアにもズレが生じてしまう。
【０００８】
本発明は、上記した事情に鑑みてなされたもので、基板の伸縮、或いはＬＥＤの実装ズレなどを吸収することができるＬＥＤユニットを提供することを課題とする。
【課題を解決するための手段】
【０００９】
上記課題を解決するためになされた請求項１記載の本発明のＬＥＤユニットは、基板と、前記基板の一方の面に実装されるＬＥＤと、前記ＬＥＤの光放出側に配置されるレンズと、前記基板、前記ＬＥＤ、及び前記レンズを収容するとともに前記レンズを露出する開口部を有するカバーと、を備えて構成されるＬＥＤユニットにおいて、電線を圧接するための圧接端子を前記基板の一端に固定するとともに、前記圧接端子を前記カバーに固定し、且つ、前記レンズ及び前記ＬＥＤを一体に固定するとともに、前記レンズ及び前記カバーの開口部を形成する縁部の間にクリアランスを設けたことを特徴としている。
【００１０】
このような特徴を有する本発明によれば、基板にＬＥＤを実装するとともにＬＥＤの光放出側にレンズを配置し、基板、ＬＥＤ、及びレンズをカバー内に収容することでＬＥＤユニットが組み立てられる。このとき、レンズはカバーの開口部から露出している。さらに、ＬＥＤ及びレンズは一体に固定されており、これによってレンズ及びＬＥＤは共に移動することになる。また、レンズ及びカバーの開口部を形成する縁部の間にクリアランスを形成し、したがってＬＥＤ及びレンズは、このクリアランスの範囲内で動くことができる。さらに、基板の一端に設けられた圧接端子はカバーに固定されている。
【００１１】
請求項２記載の本発明のＬＥＤユニットは、請求項１に記載のＬＥＤユニットにおいて、前記レンズの内側に、前記ＬＥＤを挟持して前記レンズ及び前記ＬＥＤの中心合わせをする複数のリブを設け、且つ、前記カバーの内側に、前記基板の他方の面を係止して前記レンズ及び前記ＬＥＤの移動を抑える係止片を設けるとともに、前記基板の一方の面に配置された前記レンズが前記カバーに当接することを特徴としている。
【００１２】
このような特徴を有する本発明によれば、ＬＥＤはレンズの内側に設けられた複数のリブによって確実に挟持される。これによってレンズ及びＬＥＤの位置を決定し、レンズ及びＬＥＤの中心合わせを正確に行っている。すなわち、レンズの位置決めはＬＥＤを基準にして行われる。また、カバーに設けられた係止片及びカバーが基板及びレンズを挟持することによって、基板及びレンズが係止片に対して垂直に移動することを抑えるとともに、基板及びレンズが係止片に沿う方向に摺動することを可能にしている。このとき、ＬＥＤ及びレンズは一体に移動する。
【００１３】
請求項３記載の本発明のＬＥＤユニットは、請求項１〜２の何れか一項に記載のＬＥＤユニットにおいて、前記圧接端子を前記基板の長手方向の一端に固定し、前記ＬＥＤ及び前記レンズを前記基板の長手方向の他端に固定することを特徴としている。
【００１４】
このような特徴を有する本発明によれば、圧接端子とＬＥＤ及びレンズとが、基板上において離間した位置に固定される。
【発明の効果】
【００１５】
請求項１に記載された本発明によれば、ＬＥＤ及びレンズは一体に固定されており、これによってレンズ及びＬＥＤは共に移動することになる。更に、本発明によれば、レンズ及びカバーの開口部を形成する縁部の間にクリアランスを形成していて、レンズはこのクリアランスの範囲内で動くことができる。このとき、基板の一端に設けられた圧接端子はカバーに固定されている。したがって、ＬＥＤ及びレンズが一体に移動可能であるため、例えば、基板の伸縮、圧接端子の実装ズレ、或いはＬＥＤの実装ズレなどが生じても、これらのズレを吸収し、基板にストレスが生じないという効果を奏する。
【００１６】
請求項２に記載された本発明によれば、ＬＥＤは、レンズの内側に設けられた複数のリブによって確実に挟持される。これによってレンズ及びＬＥＤの位置を決定し、レンズ及びＬＥＤの中心合わせを正確に行っている。すなわち、レンズの位置決めはＬＥＤを基準にして行われる。また、カバーに設けられた係止片及びカバーが基板及びレンズを挟持することによって、基板及びレンズが係止片に対して垂直に移動することを抑えるとともに、基板及びレンズが係止片に沿う方向に摺動することを可能にしている。このとき、ＬＥＤ及びレンズは一体に移動する。したがって、例えば、基板の伸縮、圧接端子の実装ズレ、或いはＬＥＤの実装ズレなどが生じても、これらのズレを吸収し、常に、レンズ及びＬＥＤの中心を合わせることができるという効果を奏する。
【００１７】
請求項３に記載された本発明によれば、圧接端子とＬＥＤ及びレンズとが、基板上において離間した位置に固定される。したがって、圧接時、圧接端子に加わる衝撃がＬＥＤに伝達することを抑えることができ、ひいては、例えばＬＥＤの実装ズレを減らすことができるという効果を奏する。さらに、ＬＥＤの破損を低減できるという効果を奏する。
【図面の簡単な説明】
【００１８】
【図１】本発明のＬＥＤユニットの組み立て分解斜視図である。
【図２】本発明のＬＥＤユニットにおける基板、圧接端子、ＬＥＤ、及び抵抗により構成される、放熱板を除く基板組み立て品の分解斜視図である。
【図３】本発明のＬＥＤユニットにおける、放熱板を除く基板組み立て品の実装工程を表す図であって、（ａ）は上面図、（ｂ）は側面図である。
【図４】本発明のＬＥＤユニットにおける、放熱板を除く基板組み立て品の完成斜視図である。
【図５】本発明のＬＥＤユニットにおける放熱板及び基板組み立て品を組み付けるときの斜視図である。
【図６】本発明の基板組み立て品の回路図である。
【図７】本発明のＬＥＤユニットに電線を接続し、電線カバーを組み付けた状態の斜視図であって、（ａ）は上面斜視図、（ｂ）は下面斜視図である。
【図８】本発明のＬＥＤユニットに電線を接続し、電線カバーを外した状態の上面図である。
【図９】図８の断面図であって、（ａ）はＡ−Ａ断面図、（ｂ）はＢ−Ｂ断面図である。
【図１０】本発明のＬＥＤユニットが使用される一例を示した車両の側面図である。
【図１１】従来技術におけるＬＥＤユニットの組み立て分解斜視図である。
【発明を実施するための形態】
【００１９】
以下、図面を参照しながら説明する。図１は本発明のＬＥＤユニットの組み立て分解斜視図であり、図２は本発明のＬＥＤユニットにおける基板、圧接端子、ＬＥＤ、及び抵抗により構成される、放熱板を除く基板組み立て品の分解斜視図であり、図３は本発明のＬＥＤユニットにおける、放熱板を除く基板組み立て品の実装工程を表す図であって、（ａ）は上面図、（ｂ）は側面図であり、図４は本発明のＬＥＤユニットにおける、放熱板を除く基板組み立て品の完成斜視図であり、図５は本発明のＬＥＤユニットにおける放熱板及び基板組み立て品を組み付けるときの斜視図であり、図６は本発明の基板組み立て品の回路図であり、図７は本発明のＬＥＤユニットに電線を接続し、電線カバーを組み付けた状態の斜視図であって、（ａ）は上面斜視図、（ｂ）は下面斜視図であり、図８は本発明のＬＥＤユニットに電線を接続し、電線カバーを外した状態の上面図であり、図９は図８の断面図であって、（ａ）はＡ−Ａ断面図、（ｂ）はＢ−Ｂ断面図であり、図１０は本発明のＬＥＤユニットが使用される一例を示した車両の側面図である。
【００２０】
図１において、ＬＥＤユニット１は、基板組み立て品２と、基板組み立て品２の下方に固定された後述するＬＥＤ７（図２参照）を覆うレンズ３と、基板組み立て品２及びレンズ３を上方から挿入して収容するカバー４とを備えて構成されている。
【００２１】
基板組み立て品２は、基板５と、後述する電線４０（図７参照）に接続する圧接端子６と、基板５の一面に配置され所望の色を発光するＬＥＤ７（図２参照）と、基板５のＬＥＤ７と同じ面に配置される抵抗８（図２参照）と、基板５のＬＥＤ７及び抵抗８が配置されていない側の面に配置される放熱板９とを備えて構成されている。なお、本実施形態における基板５は、柔軟性があり大きく変形させることが可能なフレキシブルプリント基板としても良い。
【００２２】
レンズ３は、基板５に固定されたＬＥＤ７の光放出側に配置される。レンズ３は、基板５に対して垂直下方に形成されて上面視略長方形を成す壁部１０と、壁部１０の短辺から内側に突出しＬＥＤ７を挟持する一対の第一リブ１１と、壁部１０の長辺から内側に突出しＬＥＤ７を挟持する一対の第二リブ１２と、壁部１０の下方に位置してＬＥＤ７から放出される光を集光する凸型の集光レンズ部１３とを有している。壁部１０の上面には、基板５に当接する突起部１４を設ける。第一リブ１１を壁部１０と同じ高さで形成し、第二リブ１２を第一リブ１１の略半分の高さで形成する。なお、第一リブ１１及び第二リブ１２は、同じ高さで形成しても良い。集光レンズ部１３は、透明な材料で形成されている。
【００２３】
カバー４は、基板組み立て品２及びレンズ３を上方から収容するため、上方が開口した略直方体形状をしている。カバー４における長手方向の一方には、上面視略長方形の収容空間１５を設ける。収容空間１５は、下方に底板部１６を有し、底板部１６の略中央が円形に開口しており、レンズ３の集光レンズ部１３を露出する開口部１７を形成している。収容空間１５には、レンズ３と、基板組み立て品２における基板５の後述する本体部２５（図２参照）及び放熱板９が収容される。このとき、開口部１７からレンズ３の集光レンズ部１３が露出している。また、収容空間１５の幅方向に向かい合う側面に、内側方向に向かって突出する一対の係止片１８を設ける。係止片１８は弾性を有している。係止片１８は、上方から下方に向かう斜辺部１９、及び底板部１６に平行な底辺部２０を有している。基板組み立て品２における基板５の後述する本体部２５及び放熱板９が係止片１８の弾性を利用して斜辺部１９を下方に摺動すると、基板５の後述する本体部２５及び放熱板９は、係止片１８の底辺部２０によって上方への移動を制限される。このとき、レンズ３は係止片１８に触れることなく下方へ移動する。また、カバー４における長手方向の他方には、基板組み立て品２における基板５の後述する先端部２６（図２参照）を収容する先端部収容溝２１を、カバー４の長手方向に向かって形成する。先端部収容溝２１は平行に四つ設ける（基板５の後述する先端部２６の数と同数）。また、先端部収容溝２１間及び先端部収容溝２１の幅方向の縁から立設した電線位置決め片２２を設ける。電線位置決め片２２は、カバー４の底から立設しており、内側に、後述する電線４０を通す電線通し用の切り欠き２３を先端部収容溝２１の長手方向に沿って四つ（後述する電線４０と同数）設ける。電線通し用の切り欠き２３は、電線位置決め片２２のカバー４から離れた側の縁からカバー４に向かって電線位置決め片２２を切り欠いて形成されている。電線位置決め片２２は、電線通し用の切り欠き２３に後述する電線４０を通して、電線４０をカバー４の表面上に位置決めする。さらに、先端部収容溝２１に直角に交わる方向（電線位置決め片２２に対向する方向）に、四つの電線収容溝２４を設ける。電線収容溝２４は、後述する電線４０を収容するように、凹状に形成する。
【００２４】
図２において、基板組み立て品２の基板５は平板状であって、略長方形形状の本体部２５及び本体部２５の一辺から櫛歯状に突出して形成される先端部２６を有している。櫛歯状の先端部２６は、第一先端部２７、第二先端部２８、第三先端部２９、及び第四先端部３０を有している。第一先端部２７、第二先端部２８、第三先端部２９、及び第四先端部３０は各々長さが異なっており、最も短いものを第一先端部２７とし、二番目に短いものを第二先端部２８とし、三番目に短いものを第三先端部２９とし、最も長いものを第四先端部３０とする。第一先端部２７、第二先端部２８、第三先端部２９、及び第四先端部３０の先端には、圧接端子６を半田付けする半田付け部３１を設ける。また、基板５の本体部２５における、第一先端部２７、第二先端部２８、及び第三先端部２９の根本側には、抵抗８を半田付けする半田付け部３２を設け、更に、半田付け部３２に隣接して、ＬＥＤ７を半田付けする半田付け部３３を設ける。半田付け部３１、３２、３３には、後述するリフロー炉にて半田付けするために、半田ペーストが印刷されている。
【００２５】
基板組み立て品２の圧接端子６は、基板５の先端部２６の数に対応して四個設ける。圧接端子６は、長方形で平板状の基部３４と、基部３４の短辺から基部３４に対して垂直に立設する第一固定部３５と、第一固定部３５が形成される辺に隣接する長辺から基部３４に対して垂直に立設する第二固定部３６と、第一固定部３５及び第二固定部３６の反対側に向かって基部３４に対して垂直に立設する一対の圧接刃３７とを有している。基部３４は、基板５の第一先端部２７、第二先端部２８、第三先端部２９、及び第四先端部３０における半田付け部３１に半田付けされる。第一固定部３５及び第二固定部３６をチャック等の治具で掴むことで圧接端子６の移動を行い、その後、圧接端子６は第一先端部２７、第二先端部２８、第三先端部２９、及び第四先端部３０に各々実装される。一対の圧接刃３７は、基部３４から離れた側の縁から基部３４に向かって圧接刃３７を切り欠いた切り欠き３８を有する。圧接刃３７は、切り欠き３８内に後述する電線４０を挿入して、切り欠き３８の内縁部で電線４０の被覆部（参照符号なし）を切り欠いて、電線４０の芯線（参照符号なし）と接触することで、電線４０を圧接する。このように、圧接刃３７と電線４０とが圧接することで、圧接端子６は電線４０と接続する。このような圧接には、後述する圧接パンチ４２などの工具を使用する。
【００２６】
基板組み立て品２のＬＥＤ７は、一般に公知のものが使用されている。本実施形態においては、赤色、緑色、及び青色の割合を調整して所望の色を発光させるＲＧＢ型のＬＥＤが使用されている。ＬＥＤ７は、基板５の本体部２５に設けた半田付け部３３に半田付けされる。
【００２７】
基板組み立て品２の抵抗８も、一般に公知のものが使用されている。抵抗８は、基板５の本体部２５における、第一先端部２７、第二先端部２８、及び第三先端部２９の根本側に設けた半田付け部３２に、それぞれ半田付けされる。
【００２８】
基板組み立て品２の放熱板９も一般に公知のものが使用されている。放熱板９は、アルミ、銅などの熱伝導率の高い金属や、金属若しくはセラミックス製の樹脂などの放熱性材料で形成されている。放熱板９を使用することによって、ＬＥＤ７の熱を効率よく放熱させることができる。なお、放熱板９の形状は特に限定されず、例えばフィンを複数枚備え、基板５に固定するため平坦な一面を有している。
【００２９】
図３において、上記のように構成された圧接端子６、ＬＥＤ７、及び抵抗８を基板５に実装する工程を説明する。まず、基板５の半田付け部３１、３２、３３が上面になるように、基板５をリフロー用受け治具３９に載置する。次に、圧接端子６の第一固定部３５及び第二固定部３６が上向きになるように、すなわち圧接端子６の圧接刃３７が下向きになるように、圧接端子６の基部３４を基板の半田付け部３１に実装する。このとき、圧接端子６の第一固定部３５及び第二固定部３６をチャックなどの治具で挟持して移動させることができる。また、ＬＥＤ７を基板５の半田付け部３３に実装し、抵抗８を基板５の半田付け部３２に実装する。このように、圧接端子６、ＬＥＤ７、及び抵抗８を基板５の所定位置に実装した状態で、リフロー炉にて圧接端子６、ＬＥＤ７、及び抵抗８を基板５に半田付けする。ここまでの状態の組み立て品を図４に示す。最後に、図５に示すように、図４の状態にまで形成された組み立て品の裏側、すなわち本体部２５においてＬＥＤ７及び抵抗８が実装されていない面に、放熱板９を両面テープなどの固定手段で固定することで、基板組み立て品２が完成する。
【００３０】
このように組み立てられた、基板組み立て品２の回路図を図６に示す。図６において、第四先端部３０から電力が供給され、第一先端部２７を通じて赤色の信号が伝達され、第二先端部２８を通じて緑色の信号が伝達され、第三先端部２９を通じて青色の信号が伝達される。なお、赤色、緑色、及び青色を適正に制御することによって所望の色をＬＥＤ７から発光させることが可能になる。
【００３１】
このように組み立てられた基板組み立て品２及びレンズ３をカバー４に収容し、その後、後述する圧接工程によって電線４０を圧接端子６の圧接刃３７に圧接する。電線４０は圧接パンチ４２（図９参照）などの工具を使用して、圧接端子６に圧接される。この状態において、図７に示すように、カバー４の上方から電線４０を保護するための電線カバー４１を被せる。電線カバー４１は、カバー４に形成された先端部収容溝２１及び電線収容溝２４を共に被覆できるように、カバー４に対応した形状をしている。このように、ＬＥＤユニット１に電線４０及び電線カバー４１を取り付けた状態にて、例えば車両の天井などに固定することでＬＥＤユニット１を使用することが出来る。
【００３２】
ここで、図８及び図９を用いて、ＬＥＤユニット１に電線４０を圧接する工程について説明する。ＬＥＤユニット１の圧接端子６の圧接刃３７に電線４０を挿入した状態で、圧接工程を始める。このとき、図９に示すように、圧接端子６の第一固定部３５が、カバー４の挿入孔４３に挿入固定されている。同様に、第二固定部３６（図示せず）も別の挿入孔（図示せず）に挿入固定されている。さらに、このとき、ＬＥＤ７はレンズ３の内側に形成された第一リブ１１及び第二リブ１２によって、四方から確実に挟持されている。また、このとき、レンズ３及びカバー４は図９における垂直方向に当接しているが、図９における水平方向にはクリアランス４４を形成していることがわかる。すなわち、レンズ３及びカバー４は水平方向には固定されていないことになる。さらに、カバー４に形成された係止片１８の底辺部２０が、放熱板９の上面を係止しているので、放熱板９及びレンズ３の図９における垂直方向の動きを制止していることがわかる。圧接端子６の圧接刃３７及び電線４０を圧接する方法は公知の方法でよく、例えば図９（ａ）に示すように、カバー４の上方から圧接パンチ４２などの工具を使用して実施する。
【００３３】
このようにして組み立てられた本発明のＬＥＤユニット１は、図１０に示すように、自動車４５の乗員室の天井４６などに配置され、例えばマップランプ等に利用される。また、別の利用分野として、自動車４５のヘッドランプ４７又はテールランプ４８に利用されても良い。
【００３４】
以上、本発明によれば、ＬＥＤ７及びレンズ３は一体に固定されており、これによってレンズ３及びＬＥＤ７は共に移動することになる。更に、レンズ３及びカバー４の開口部１７を形成する縁部の間にクリアランス４４を形成していて、レンズ３はこのクリアランス４４の範囲内で動くことができる。このとき、基板５の一端に設けられた圧接端子６はカバー４に固定されている。したがって、ＬＥＤ７及びレンズ３が一体に移動可能であるため、例えば、基板５の伸縮、圧接端子６の実装ズレ、或いはＬＥＤ７の実装ズレなどが生じても、これらのズレを吸収し、基板５にストレスが生じないという効果を奏する。また、本発明によれば、ＬＥＤ７は、レンズ３の内側に設けられた第一リブ１１及び第二リブ１２によって確実に挟持される。これによってレンズ３及びＬＥＤ７の位置を決定し、レンズ３及びＬＥＤ７の中心合わせを正確に行っている。すなわち、レンズ３の位置決めはＬＥＤ７を基準にして行われる。また、カバー４に設けられた係止片１８及びカバー４が基板５及びレンズ３を挟持することによって、基板５及びレンズ３が係止片１８に対して垂直に移動することを抑えるとともに、基板５及びレンズ３が係止片１８に沿う方向に摺動することを可能にしている。このとき、ＬＥＤ７及びレンズ３は一体に移動する。したがって、例えば、基板５の伸縮、圧接端子６の実装ズレ、或いはＬＥＤ７の実装ズレなどが生じても、これらのズレを吸収し、常に、レンズ３及びＬＥＤ７の中心を合わせることができるという効果を奏する。さらに本発明によれば、圧接端子６とＬＥＤ７及びレンズ３とが、基板５上において離間した位置に固定される。したがって、圧接時、圧接端子６に加わる衝撃がＬＥＤ７に伝達することを抑えることができ、ひいては、例えばＬＥＤ７の実装ズレを減らすことができるという効果を奏する。さらに、ＬＥＤ７の破損を低減できるという効果を奏する。
【符号の説明】
【００３５】
１、４９  ＬＥＤユニット
２  基板組み立て品
３、５１  レンズ
４  カバー
５  基板
６  圧接端子
７、５６  ＬＥＤ
８  抵抗
９、５４  放熱板
１０  壁部
１１  第一リブ
１２  第二リブ
１３  集光レンズ部
１４  突起部
１５  収容空間
１６  底板部
１７、６０  開口部
１８  係止片
１９  斜辺部
２０  底辺部
２１  先端部収容溝
２２  電線位置決め片
２３、３８  切り欠き
２４  電線収容溝
２５  本体部
２６  先端部
２７  第一先端部
２８  第二先端部
２９  第三先端部
３０  第四先端部
３１、３２、３３  半田付け部
３４  基部
３５  第一固定部
３６  第二固定部
３７  圧接刃
３９  リフロー用受け治具
４０  電線
４１  電線カバー
４２  圧接パンチ
４３  挿入孔
４４  クリアランス
４５  自動車
４６  天井
４７  ヘッドランプ
４８  テールランプ
５０  ケース
５２  基板
５３  熱伝導シート
５５  ベース部
５７  コネクタ
５８  係合部位
５９  位置決め部
【図１】
0005404530.tif 000002
【図２】
0005404530.tif 000003
【図３】
0005404530.tif 000004
【図４】
0005404530.tif 000005
【図５】
0005404530.tif 000006
【図６】
0005404530.tif 000007
【図７】
0005404530.tif 000008
【図８】
0005404530.tif 000009
【図９】
0005404530.tif 000010
【図１０】
0005404530.tif 000011
【図１１】
0005404530.tif 000012